(57)【要約】【課題】近接カード・リーダが外から見えない電子機器を実現する。【解決手段】電子機器（１００）は、フラットパネル表示装置（１２０）と、そのフラットパネル表示装置の背部に設けられた近接カード・リーダと、を具えている。認証が行われるときに、その近接カード・リーダによって読み取られるべき非接触型の認証用ＩＣカード（２００）を配置すべき領域（１２２）がそのフラットパネル表示装置に表示される。【選択図】　　　　図１
2004133009.tif 000002
【特許請求の範囲】
【請求項１】
フラットパネル表示装置と、
前記フラットパネル表示装置の背部に設けられた近接カード・リーダと、
を具える電子機器であって、
認証が行われるときに、前記近接カード・リーダによって読み取られるべき非接触型の認証用ＩＣカードを配置すべき領域が前記フラットパネル表示装置に表示されることを特徴とする、電子機器。
【請求項２】
さらに、前記非接触型の認証用ＩＣカードの読み取りを開始するためのセンサを有するフレームを具える、請求項１に記載の電子機器。
【請求項３】
フラットパネル表示装置と、
前記フラットパネル表示装置の背部に設けられた近接カード・リーダと、
前記非接触型の認証用ＩＣカードが前記領域に配置されたときに前記非接触型の認証用ＩＣカードの側部の形状と勘合する非直線形状の部分を有するフレームと、
を具える電子機器。
【請求項４】
フラットパネル表示装置と、
前記フラットパネル表示装置の背部に設けられた近接カード・リーダと、
を具える電子機器であって、
前記フラットパネル表示装置は前面にタッチ・パネルを含み、
前記非接触型の認証用ＩＣカードの一方の面に設けられた突起によって前記タッチ・パネルの前記領域内の所定の位置が押されたときに、前記近接カード・リーダが前記非接触型の認証用ＩＣカードの読み取りを開始することを特徴とする、電子機器。
【請求項５】
内部にプロセッサおよびＲＦ送受信機を具え、ＩＣカードのタイプを識別するための固有の非直線形状の側部端縁を有する非接触型ＩＣカード。
【請求項６】
内部にプロセッサおよびＲＦ送受信機を具え、電子機器に認証を開始させるための突起を一方の面の所定位置に有する非接触型ＩＣカード。
【請求項７】
認証が行われるときに、電子機器のフラットパネル表示装置の所定の位置に、非接触型の認証用ＩＣカードを配置すべき領域を表示するステップと、
前記電子機器の近接カード・リーダを用いて、前記非接触型の認証用ＩＣカードにＲＦ信号を送信して前記非接触型の認証用ＩＣカードからＲＦ応答信号を受信するステップと、
を実行させるよう動作可能な電子機器用のプログラム。
【発明の詳細な説明】
【０００１】
【発明の属する技術分野】
本発明は、非接触型のカードの近接読み取りに関し、特にフラットパネル表示装置にそのような非接触型のセキュリティ・カードの近接リーダを具えた認証機能を有する電子機器に関する。
【０００２】
【発明の背景】
通常、パーソナル・コンピュータにおいてセキュリティ・カードとして磁気カードがしばしば用いられ、カード・リーダがケーブルを介してパーソナル・コンピュータに接続される。それには、ケーブルの途中で信号が改竄されるリスクがある。
【０００３】
最近、電子機器を用いた個人の電子商取引が増えており、信頼性のより高いセキュリティに対するニーズが存在する。パーソナル・コンピュータを用いた電子商取引では、ユーザによって簡単に認証できる必要がある。
【０００４】
認証装置を組み込んだ電子機器において、磁気カードがセキュリティ・カードとして用いられる場合は、ユーザは、カードの向き、スライド方向および移動速度等に配慮しなければならない。そのために、操作部および操作説明を電子機器の筐体に設けなければならず、電子機器の大きさがが大きくなり、デザイン上の外観も良くない。
【０００５】
特開平１１−１４９４５４号公報（Ａ）（特許文献１）には、座標検出器が、座標指定部材に設けられた穴、孔、切り欠またはマーク等によって入力された座標を検出し、検出された座標と登録された複数の座標との比較によって認証を行うことが記載されている。
【特許文献１】
特開平１１−１４９４５４号公報
【０００６】
発明者は、カード・リーダを外から見えない電子機器の内部に配置し、非接触型のカードを電子機器の近接カード・リーダに近づけることによってユーザを認証できるようにすれば、便利であり、電子機器の外観も良くなると認識した。
【０００７】
本発明の目的は、近接カード・リーダが外から見えない電子機器を実現することである。
【０００８】
本発明の別の目的は、非接触型カードをフラットパネル表示装置の所定位置に近づけるだけで認証が行われる電子機器を実現することである。
【０００９】
【発明の概要】
本発明の特徴によれば、電子機器は、フラットパネル表示装置と、そのフラットパネル表示装置の背部に設けられた近接カード・リーダと、を具えている。認証が行われるときに、その近接カード・リーダによって読み取られるべき非接触型の認証用ＩＣカードを配置すべき領域がそのフラットパネル表示装置に表示される。
【００１０】
その電子機器は、さらに、その非接触型の認証用ＩＣカードの読み取りを開始するためのセンサを有するフレームを具えていてもよい。
【００１１】
本発明の別の特徴によれば、電子機器は、フラットパネル表示装置と、そのフラットパネル表示装置の背部に設けられた近接カード・リーダと、その非接触型の認証用ＩＣカードがその領域に配置されたときにその非接触型の認証用ＩＣカードの側部の形状と勘合する非直線形状の部分を有するフレームと、を具えている。
【００１２】
本発明のさらに別の特徴によれば、電子機器は、フラットパネル表示装置と、そのフラットパネル表示装置の背部に設けられた近接カード・リーダと、を具えている。そのフラットパネル表示装置は前面にタッチ・パネルを含んでいる。その電子機器は、その非接触型の認証用ＩＣカードの一方の面に設けられた突起によってそのタッチ・パネルのその領域内の所定の位置が押されたときに、その近接カード・リーダがその非接触型の認証用ＩＣカードの読み取りを開始する。
【００１３】
本発明のさらに別の特徴によれば、非接触型ＩＣカードは、内部にプロセッサおよびＲＦ送受信機を具え、ＩＣカードのタイプを識別するための固有の非直線形状の側部端縁を有する。
【００１４】
本発明のさらに別の特徴によれば、非接触型ＩＣカードは、内部にプロセッサおよびＲＦ送受信機を具え、電子機器に認証を開始させるための突起を一方の面の所定位置に有する。
【００１５】
本発明のさらに別の特徴によれば、電子機器用のプログラム（これは記憶媒体に格納されていてもよい）は、認証が行われるときに、その電子機器のフラットパネル表示装置の所定の位置に、非接触型の認証用ＩＣカードを配置すべき領域を表示するステップと、その電子機器の近接カード・リーダを用いて、その非接触型の認証用ＩＣカードにＲＦ信号を送信してその非接触型の認証用ＩＣカードからＲＦ応答信号を受信するステップと、を実行させるよう動作可能である。
【００１６】
本発明によれば、近接カード・リーダが外から見えない電子機器を実現でき、非接触型カードをフラットパネル表示装置の所定位置に近づけるだけで認証が行われる電子機器を実現できる。
【００１７】
図面において、同様の要素および機能には同じ参照番号が付されている。
【００１８】
【００１９】
【発明の好ましい実施形態】
図１は、本発明の実施形態によるタブレット形の電子機器または端末１００の構成を示している。電子機器１００は、筐体１１０と、フラットパネル表示装置１２０とを具えている。フラットパネル表示装置１２０には、ユーザの認証が必要なとき、認証用の画面が表示されて、ユーザによって非接触型セキュリティ・スマートカード（ＩＣカード）２００の配置されるべき位置１２２がその画面に表示される。
【００２０】
非接触型スマートカード２００は、その内部に、コイル・アンテナを有するＲＦ（無線周波数）送受信機２０４と、プロセッサを含むＩＣチップ２０６とを有する。スマートカード２００はバッテリを含んでいない。
【００２１】
図２は、図１の電子機器１００の分解斜視図を示している。電子機器１００は、フロント・フレーム１１２と、正面に透明のタッチ・パネル１２３を有する例えば液晶表示装置（ＬＣＤ）のようなフラットパネル表示装置１２０と、フラットパネル表示装置１２０の背部に設けられた、プロセッサ１３３を含むメイン・ボード１３２、認証用の近接スマートカード・リーダ１３４およびハードディスク装置１３６と、バッテリ１３８と、背面パネル１１４とを含んでいる。電子機器１００は、一般的な工具では分解できないような構造を有することが望ましい。
【００２２】
近接スマートカード・リーダ１３４は、小型のコイル・アンテナを有するＲＦ送受信機を有し、そのコイル・アンテナを介してスマートカード２００との間で例えば約１３ＭＨｚの認証用のＲＦ信号を送受信する。
【００２３】
ユーザの認証が必要なとき、電子機器１００のメイン・ボード１３２上のプロセッサ１３３は、例えばハードディスク１３６等のメモリに格納された認証用のプログラムに従って、予めスマートカード・リーダ１３４の送受信機がスマートカード２００の送受信機２０４と充分接近するように、スマートカード２００の配置されるべき認証のための領域または外形１２２をフラットパネル表示装置１２０に表示する。電子機器１００は、認証用の領域または外形１２２に合わせてスマートカード２００を近づけるよう、フラットパネル表示装置１２０上に視覚的にまたはスピーカ１１３から聴覚的にユーザに指示する。その指示は、画像、テキストまたは音声によるものであってもよい。スマートカード・リーダ１３４は、連続的にまたは間欠的にＲＦ信号を送信してスマートカード２００の接近を待ち受ける。
【００２４】
非接触型スマートカード２００は、それが近接スマートカード・リーダ１３４に近づいたとき、スマートカード・リーダ１３４からコイル・アンテナを介して約１３ＭＨｚの認証用の比較的高い電力の問い合わせＲＦ信号を受信して電磁波エネルギをキャパシタに蓄え、その蓄えられた電磁波エネルギによって給電されて認証のために応答し、例えばＩＤコードで変調された約１３ＭＨｚのキャリアからなるＲＦ応答信号をスマートカード・リーダ１３４に送信する。
【００２５】
スマートカード２００がスマートカード・リーダ１３４に接近するほど、スマートカード・リーダ１３４からスマートカード２００に効率良く電力が供給される。従って、ユーザによる領域１２２に対するスマートカード２００の位置合わせはより正確であることが好ましい。
【００２６】
図３Ａ〜３Ｃは、本発明の別の実施形態による、図２の電子機器１００と同様の構成を有する電子機器１６０の構成および使用形態を示している。電子機器１６０は、筐体１６０のフラットパネル表示装置１２０の右下隅部すなわちフロント・フレーム１１２の右下部分に、破線で示されたスマートカード２１０の受け入れ領域または認証用領域１２３を有する。認証用領域１２３の右側のフレーム１１２の部分には、矢印の方向に垂直軸の周りに回転開放可能なヒンジ付きの蓋１２６が設けられていてもよい。図３Ａは、蓋１２６が閉じられた状態を示している。図３Ｂおよび３Ｃは、蓋１２６が開かれている状態を示している。
【００２７】
スマートカード２１０の右側部分（右辺）は非直線状の固有の凹凸または波形の形状２０２を有する。蓋１２６の背部のフレーム１１２の部分には、スマートカード２１０に固有の凹凸の形状２０２と勘合する固有の陰（ネガティブ）の形状１２８を有する凹部１３０が形成されている。スマートカード２１０のその他の構成は、図１のスマートカード２００と同様であり、再び説明することはしない。蓋１２６は、波形の形状２０２がこの電子機器１６０の外観として好ましくない場合に、形状２０２を覆い隠すことができる。
【００２８】
図３Ｃは、ユーザによってスマートカード２１０が認証位置１２３に配置されて、形状２０２が形状１２８に勘合された状態を示している。その両方の形状の勘合によって、ユーザは、スマートカード２１０が電子機器１６０用の正しいスマートカードであることを確認できる。異なる形状のスマートカードが配置されたときは、それが勘合しないことによってその間違いを容易に認識できる。
【００２９】
スマートカード２１０が認証用領域１２３に配置されたことを検出するための近接センサ（検知器）１４０を蓋１２６の背部のフレーム１１２の部分に設けてもよい。センサ１４０は、反射赤外線センサまたはプッシュ型センサであってもよい。センサ１４０によってスマートカード２１０が認証用領域１２３に配置されたことが検知されたときに、認証プロセスまたは認証プログラムおよび関連するアプリケーション、例えば電子商取引ソフトウェアが起動されるようにしてもよい。
【００３０】
図５は、認証プログラムに従ってメイン・ボード１３２上のプロセッサ１３３によって実行される、センサ１４０によって認証を開始するための手順を示している。
【００３１】
図５を参照すると、ステップ５０２において、ユーザの認証が必要なとき、プロセッサ１３３は、フラットパネル表示装置１２０に認証用領域１２３を表示する。ステップ５０４において、プロセッサ１３３は、センサ１４０によってスマートカード２１０がフラットパネル表示装置１２０に配置されたことを検知する。ステップ５０６において、プロセッサ１３３は、スマートカード２１０に電力ＲＦ信号を送信してスマートカード２１０の読み取りを開始する。
【００３２】
代替構成として、蓋１２６の背部に設けられた近接センサ１４０は、蓋１２６の開放を検知するものであってもよい。センサ１４０によって蓋１２６の開放が検出されたときに、認証処理機能または認証プログラムおよびその後の関連するアプリケーションが起動されるようにしてもよい。
【００３３】
図５を再び参照すると、ステップ５０２において、プロセッサ１３３は、フラットパネル表示装置１２０に認証用領域１２３を表示する。ステップ５０４において、プロセッサ１３３は、センサ１４０によって蓋１２６の開放を検知する。ステップ５０６において、プロセッサ１３３は、スマートカード２１０に電力ＲＦ信号を送信してスマートカード２１０の読み取りを開始する。
【００３４】
センサ１４０によるスマートカード２１０または蓋１２６の開放の検知によって、電子機器１６０は、認証を開始して、送受信機１３４に認証のための電力供給用のＲＦ電磁波を発生させる。それによって、電磁波は必要な場合にだけ発生される。
【００３５】
図３Ａ〜３Ｃでは、フレーム１１２の隅部に認証用領域１２３が配置されるので、スマートカード２１０をフレーム１１０の内側の下側端縁に沿ってスライド（滑動）させることによってスマートカード２１０をより正確に認証用領域１２３に位置合わせでき、認証が効率的に行われる。
【００３６】
図３Ａ〜３Ｃにおける電子機器１６０のその他の構成および動作は、図１および２の電子機器１００と同様であり、再び説明することはしない。
【００３７】
図４Ａおよび４Ｂは、本発明のさらに別の実施形態による、スマートカード２２０の構造を示している。図４Ｃは、本発明のその実施形態による、電子機器１８０の構成および使用形態を示している。図４Ａは、電子機器１８０に用いられるスマートカード２２０の背面図を示している。図４Ｂは、図４Ａのスマートカード２２０の右側面図を示している。電子機器１８０は、図３Ａ〜３Ｃの電子機器１６０と同様に、フロント・フレーム１１２の部分に、破線で示されたスマートカード２２０の受け入れ領域または認証用領域１２３を有する。
【００３８】
図４Ａおよび４Ｂに示されているように、スマートカード２２０は、その裏面の所定位置に突起２２２を有する。スマートカード２２０のその他の構成は、図１のスマートカード２００と同様であり、再び説明することはしない。
【００３９】
図４Ｃに示されているように、認証用の画面が表示されたとき、スマートカード２２０は、ユーザによって電子機器１８０のフラットパネル表示装置１２０における認証用領域１２３に配置されて、その位置でタッチ・パネル１２３を有するフラットパネル表示装置１２０に押しつけられる。そのとき、タッチ・パネル１２３がスマートカード２２０の突起２２２による所定の位置における押圧を検出して、図３Ｂにおけるセンサ１４０の場合と同様に、認証処理機能または認証プログラムおよびその後の関連するアプリケーションが起動される。
【００４０】
図５を参照すると、ステップ５０２において、プロセッサ１３３は、認証用領域１２３を表示する。ステップ５０４において、プロセッサ１３３は、フラットパネル表示装置１２０のタッチ・パネル１２３のセンサによってスマートカード２２０の突起２２２が押しつけられたことを検知する。ステップ５０６において、電力ＲＦ信号を送信してプロセッサ１３３は、スマートカード２２０の読み取りを開始する。
【００４１】
図４Ｃにおける電子機器１８０のその他の構成および動作は、図１および２の電子機器１００と同様であり、再び説明することはしない。
【００４２】
本発明は、タブレット形の電子機器１００、１６０および１８０に限定されることなく、ノートブック形のパーソナル・コンピュータおよびＰＤＡ（ｐｅｒｓｏｎａｌｄｉｇｉｔａｌ　ａｓｓｉｓｔａｎｃｅ）にも適用できることは、この分野の専門家には明らかであろう。
【００４３】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００４４】
（付記１）　フラットパネル表示装置と、
前記フラットパネル表示装置の背部に設けられた近接カード・リーダと、
を具える電子機器であって、
認証が行われるときに、前記近接カード・リーダによって読み取られるべき非接触型の認証用スマートカード（ＩＣカード）を配置すべき領域が前記フラットパネル表示装置に表示されることを特徴とする、電子機器。
（付記２）　前記領域が前記フラットパネル表示装置の隅部に位置する、付記１に記載の電子機器。
（付記３）　さらに、前記非接触型の認証用スマートカードの読み取りを開始するためのセンサを有するフレームを具える、付記１または２に記載の電子機器。
（付記４）　フラットパネル表示装置と、
前記フラットパネル表示装置の背部に設けられた近接カード・リーダと、
前記非接触型の認証用スマートカードが前記領域に配置されたときに前記非接触型の認証用スマートカードの側部の形状と勘合する非直線形状の部分を有するフレームと、
を具える、電子機器。
（付記５）　フラットパネル表示装置と、
前記フラットパネル表示装置の背部に設けられた近接カード・リーダと、
を具える電子機器であって、
前記フラットパネル表示装置は前面にタッチ・パネルを含み、
前記非接触型の認証用スマートカードの一方の面に設けられた突起によって前記タッチ・パネルの前記領域内の所定の位置が押されたときに、前記近接カード・リーダが前記非接触型の認証用スマートカードの読み取りを開始することを特徴とする、電子機器。
（付記６）　内部にプロセッサおよびＲＦ送受信機を具え、スマートカードのタイプを識別するための固有の非直線形状の側部端縁を有する非接触型スマートカード。
（付記７）　内部にプロセッサおよびＲＦ送受信機を具え、電子機器に認証を開始させるための突起を一方の面の所定位置に有する非接触型スマートカード。
（付記８）　記憶媒体に格納された電子機器用のプログラムであって、
認証が行われるときに、前記電子機器のフラットパネル表示装置の所定の位置に、非接触型の認証用スマートカードを配置すべき領域を表示するステップと、前記電子機器の近接カード・リーダを用いて、前記非接触型の認証用スマートカードにＲＦ信号を送信して前記非接触型の認証用スマートカードからＲＦ応答信号を受信するステップと、
を実行させるよう動作可能なプログラム。
（付記９）　さらに、前記非接触型の認証用スマートカードが前記領域に配置されたことが検出されたときに、前記近接カード・リーダを用いて前記非接触型の認証用スマートカードに前記ＲＦ信号を送信して前記非接触型の認証用スマートカードの読み取りを開始するステップを実行させるよう動作可能な、付記８に記載のプログラム。
（付記１０）　さらに、前記電子機器のフレームに設けられた蓋が開放されたことが検出されたときに、前記近接カード・リーダを用いて前記非接触型の認証用スマートカードに前記ＲＦ信号を送信して前記非接触型の認証用スマートカードの読み取りを開始するステップを実行させるよう動作可能な、付記８に記載のプログラム。
【００４５】
【発明の効果】
本発明は、前述の特徴によって、近接カード・リーダが外から見えない電子機器を実現でき、非接触型カードをフラットパネル表示装置の所定位置に近づけるだけで認証が行われる電子機器を実現できるという効果を奏する。
【図面の簡単な説明】
【図１】図１は、本発明の実施形態によるタブレット形の電子機器または端末の構成を示している。
【図２】図２は、図１の電子機器の分解斜視図を示している。
【図３】図３Ａ〜３Ｃは、本発明の別の実施形態による、電子機器の構成および使用形態を示している。
【図４】図４Ａおよび４Ｂは、本発明のさらに別の実施形態による、スマートカードの構造を示している。図４Ｃは、本発明のその実施形態による、電子機器の構成および使用形態を示している。
【図５】図５は、認証プログラムに従ってメイン・ボード中のプロセッサによって実行される、センサによって認証を開始するための手順を示している。
【符号の説明】
１００　電子機器
１２０　フラットパネル表示装置
１２２　認証用領域
１３４　近接スマートカード・リーダ
２００　非接触型スマートカード
２０４　ＲＦ送受信機
２０６　プロセッサ
【図１】
2004133009.tif 000003
【図２】
2004133009.tif 000004
【図３】
2004133009.tif 000005
【図４】
2004133009.tif 000006
【図５】
2004133009.tif 000007